(57)【要約】【課題】  出隅柱１の頂角部１３における面取り加工部１５をできるだけ目立たなくし、かつ面取り加工部１５に表面凹凸柄部４ａに生じる陰影と同様な陰影が形成されるようにして、面取り加工部１５に違和感を起こさせないようにする。【解決手段】  出隅柱１の頂角部１３に幅の狭い面取り加工部１５が形成されており、面取り加工部１５は平坦面ではなく表面凹凸柄部４ａに対応するような不規則な凹凸を有する凹凸面１５とする。【選択図】  図５
2005282094.tif 000002
【特許請求の範囲】
【請求項１】
少なくとも２枚の板片をその１つの側辺同士を頂角部を持つようにして接合して形成される出隅柱であって、該頂角部には幅の狭い面取り加工部が形成されており、面取り加工部は平坦面ではなく不規則な凹凸を有する凹凸面とされていることを特徴とする出隅柱。
【請求項２】
出隅柱を構成する板片の表面には、溝部と該溝部で区画される凸領域が形成されており、凸領域には表面凹凸柄部が形成されていることを特徴とする請求項１に記載の出隅柱。
【請求項３】
出隅柱を構成する板片の表面には、頂角部に交差する方向の溝部が形成されており、頂角部の前記溝部に対応する凹部と頂角部に形成された面取り加工部との接続面は曲面状とされていることを特徴とする請求項１に記載の出隅柱。
【請求項４】
板片の頂角部をなす側辺と反対側の側辺の表面側稜線に面取り加工部が形成されていることを特徴とする請求項１に記載の出隅柱。
【請求項５】
板片同士を接着する接着剤が湿気硬化型接着剤であることを特徴とする請求項１〜４のいずれかに記載の出隅柱。
【請求項６】
接着剤が硬化する前に木口部あるいは頂角部およびその近傍に水を供与し、その後に接着剤を硬化させたものであることを特徴とする請求項５に記載の出隅柱。
【請求項７】
接着剤の硬化を高周波加熱を利用して行ったものであることを特徴とする請求項５または６に記載の出隅柱。
【請求項８】
少なくとも２枚の板片をその長手方向の側辺同士を頂角部を持つようにして接合して形成される出隅柱の前記頂角部に面取り加工を施す装置であって、
少なくとも頂角部を露出した状態で出隅柱を水平姿勢で支持する出隅柱支持手段と、
出隅柱支持手段に支持された出隅柱の頂角部に当接して頂角部に面取り加工を施す面取り加工手段と
面取り加工手段を固定機枠に対し弾性体を介して上下動可動に支持するようにした面取り加工手段支承手段と、
出隅柱支持手段と面取り加工手段とに相対的な移動を与える移動手段、
とを少なくとも備えていることを特徴とする出隅柱に面取り加工を施す装置。
【請求項９】
面取り加工手段はエアグラインダを備えることを特徴とする請求項８に記載の出隅柱に面取り加工を施す装置。
【発明の詳細な説明】
【技術分野】
【０００１】
本発明は、建物壁面の出隅部分の外装材として用いられる出隅柱、およびその頂角部に面取り加工を施すための装置に関する。
【背景技術】
【０００２】
一般に、建物の壁面の出隅部分に用いられる外装材として、図８に示すような出隅柱１が知られている（特許文献１：特開２０００−３１００２４号公報など参照）。出隅柱１の製造には、通常、図９ａに示すように、表面に溝部（縦目地部２、横目地部３）と溝部で区画される凸領域４とを持つ窯業建築板５が用いられ、それを縦目地部２を回避した切断位置Ｓで切断して、板片１０，１０を作る（図９ｂ）。各板片の１つの側辺１１，１１を斜め（４５度の角度であることが多いが、これに限らない）に切断し、切断面１２，１２同士を頂角部１３を持つように接着剤で接合して断面略Ｌ字形とする（図９ｃ）。
【０００３】
原板である窯業建築板５は、通常、前記凸領域４に表面凹凸柄部４ａが形成されていることや、切断面１２の形状バラツキや、断面略Ｌ字形に接着剤で接合するときに位置合わせに多少のズレが生じること、などの理由から、前記頂角部１３の稜線部分で切断面先端をピッタリ重なり合わせた状態で略Ｌ字形に固着一体化させることは難しく、通常、図９ｃの右図に示すように、片方の板片１０の先端が突き出すチグハグな格好となる部分が出てくる。また、その部分に接着剤のはみ出し部ａも生じやすい。切断面先端がピッタリ重なり合った場所でも、図９ｃの左図に示すように、やはり接着剤のはみ出し部ａが形成されることがある。
【０００４】
それにより頂角部の見栄えが悪くなるので、頂角部１３の形状を整えるために、テノーナー切削機のような機械的手段で、頂角部１３に面取り加工が施される。従来の面取り加工では、切削加工面１４は幅が１０ｍｍ〜２０ｍｍ程度の幅広な平坦面であり、面取りされた部分（切削加工面１４）は板片１０の表面とは異なった色彩となるので、別途塗装が施される。特許文献１に記載のものでは、塗装に換えて、板片表面の模様、色彩とほぼ同じ模様、色彩の熱転写シートに係る転写箔を貼着するようにしている。
【０００５】
特許文献２（特開平６−２９９６７７号公報）には、コーナータイルの製造方法が記載されている。ここでは、Ｌ字状に固着したコーナータイルの突き合わせ部分のエッジを面取り加工するに際し、砥石の粗さを段階的に細かく変更させることにより、突き合わせ部を目立たなくして、意匠性の高いコーナータイルを得るようにしている。
【０００６】
【特許文献１】特開２０００−３１００２４号公報
【特許文献２】特開平６−２９９６７７号公報
【発明の開示】
【発明が解決しようとする課題】
【０００７】
前記のように、従来の出隅柱では、その頂角部に対してテノーナー切削機のような装置を用いて面取り加工を行っており、計算できない接着剤のはみ出し部を削除するため切削加工面は平坦かつ幅広（１０ｍｍ〜２０ｍｍ程度）な面となる。特に、建築板表面の凸領域４に深い表面凹凸柄部４ａを形成した場合には、見栄えが悪くならない安全策の上から、面取り切削加工面はより幅広なものにならざるを得なかった。
【０００８】
切削面には板片１０（窯業建築板５）の地色が現れるので、切削加工後に塗装を施して表面模様との調和をとるようにしているが、１０ｍｍ〜２０ｍｍ程度の幅広な面であることから、塗装したとしても目立ちやすく、また、平坦面であることから陰影が単調となり、凸領域４あるいはそこに形成される表面凹凸柄部４ａの陰影とはどうしても異なるものとなる。特許文献１に記載のように、面取り加工部に、板片の模様、色彩とほぼ同じ模様、色彩の熱転写シートに係る転写箔を貼着する場合には、遠目での絵柄の連続性は確保できるとしても、転写シートが平坦なものである以上、陰影の違いを回避することはできない。また、そのような転写シートを準備することも容易でない。
【０００９】
特許文献２では、砥石の粗さを段階的に細かく変更することにより、突き合わせ部を目立たなくするようにしているが、複数回の砥石がけ作業は容易でないばかりか、この作業方法を窯業系材料で形成される出隅柱の頂角部に適用すると、窯業板の地色が広い範囲で出てしまうので好ましくない。また、研磨面は平坦面であり、塗装を施すとしても、陰影の違いに対する不都合は回避できない。
【００１０】
本発明は、上記のような事情に鑑みてなされたものであり、出隅柱の頂角部における面取り加工部をできるだけ目立たなくし、かつ面取り加工部に、凸領域に形成される表面凹凸柄部に生じる陰影と同様な陰影が形成されるようにして、面取り加工部に違和感を起こさせないようにした出隅柱と、該出隅柱の頂角部に面取り加工を施す装置を提供することを目的とする。
【課題を解決するための手段】
【００１１】
本発明による出隅柱は、少なくとも２枚の板片をその１つの側辺同士を頂角部を持つようにして接合して形成される出隅柱であって、該頂角部には幅の狭い面取り加工部が形成されており、該面取り加工部は平坦面ではなく不規則な凹凸を有する凹凸面とされていることを特徴とする。
【００１２】
本発明において、出隅柱を構成する板片は、従来知られた窯業系建築板から適宜の幅の板片に切り出したものを用いることが好ましいが、これに限らない。本発明による出隅柱では、頂角部に形成される面取り加工部は幅狭でありかつ凹凸面とされている。そのために、面取り加工部に板片の表面模様に近似した所要の塗装を施すことによって色調の違いによる違和感は小さくすることができる。また、凹凸面であることから、板片が表面凹凸柄部を持つものである場合に、そこに生じる陰影に近似した陰影を面取り加工部に生成させることができる。それにより、面取り加工部の存在そのものが目立たないものとなる。
【００１３】
好ましくは、出隅柱を構成する板片として、表面に溝部と該溝部で区画される凸領域が形成されており、凸領域には表面凹凸柄部が形成されているものを用いる。それにより、面取り加工部の凹凸面とよく調和した意匠性の高い出隅柱が得られる。また、出隅柱を構成する板片として、表面に頂角部に交差する方向の溝部を有しているものを用い、出隅柱の頂角部に形成される前記溝部に対応する凹部と頂角部に形成した面取り加工部との接続面は曲面状となるようにする。この構成では、板片表面の溝部および凸領域と頂角部の面取り加工部との連続性が一層確実となり、意匠性はさらに向上する。
【００１４】
なお、本発明による出隅柱において、板片の頂角部をなす側辺と反対側の側辺（木口面）は、垂直な切断面のままとされていてもよく、木口面での表面側稜線に面取り加工部を形成するようにしてもよい。木口面に面取り加工を施すことにより、建物本体側の窯業系建築板との見た目での連続性を確保することができる。
【００１５】
なお、本発明において、「面取り加工部は平坦面ではなく凹凸面とされている」というときの凹凸面とは、微視的な意味での凹凸を有する凹凸面をいうのではなく、指先で触って確認できる程度の不規則な凹凸を有する凹凸面をいっており、より具体的には、深さあるいは高さが最低部より０．３〜５ｍｍ程度の不規則な凹凸を有する凹凸面をいう。出隅柱の素材である板片が、前記のように凸領域を有し、該凸領域に表面凹凸柄部を有するものである場合に、その表面凹凸柄部に形成される凹凸（通常０．３〜５ｍｍの深さあるいは高さである）程度の凹凸を備えた凹凸面をいう。また、面取り加工部の幅は、塗装したときのタレや、加工工程のカケの問題もあり、７ｍｍ以下が好ましく、より好ましくは２〜５ｍｍ、さらに好ましくは２〜３ｍｍである。
【００１６】
本発明は、さらに、少なくとも２枚の板片をその長手方向の側辺同士を頂角部を持つようにして接合して形成される出隅柱の前記頂角部に面取り加工を施す装置であって、少なくとも頂角部を露出した状態で出隅柱を水平姿勢で支持する出隅柱支持手段と、出隅柱支持手段に支持された出隅柱の頂角部に当接して頂角部に面取り加工を施す切削部を備えた面取り加工手段と、面取り加工手段を固定機枠に対し弾性体を介して上下動可動に支持するようにした面取り加工手段支承手段と、出隅柱支持手段と面取り加工手段とに相対的な移動を与える移動手段、とを少なくとも備えていることを特徴とする、出隅柱に面取り加工を施す装置を開示する。面取り加工手段の切削部は任意のものであってよいが、エアグラインダは特に効果的である。
【００１７】
上記装置を用いることにより、本発明による出隅柱を容易に製造することができる。製造に際して、最初に、少なくとも２枚の板片をその長手方向の側辺同士を頂角部を持つようにして接合して形成される出隅柱を従来と同様にして用意する。用意した出隅柱を頂角部が例えば上方に露出した姿勢として出隅柱支持手段に取り付ける。
【００１８】
面取り加工手段の切削部を、出隅柱支持手段に支持された出隅柱の頂角部に当接させ、出隅柱支持手段と面取り加工手段とに相対的な移動を与える。好ましくは、面取り加工手段を固定し、出隅柱支持手段を移動させて、面取り加工手段の切削部に対して出隅柱の頂角部の全稜線部分を通過させる。面取り加工手段を移動させ、出隅柱支持手段を固定するようにしてもよく、両者を反対方向に向けて移動させるようにしてもよい。速度差をもって両者が同方向に移動させるようにしてもよい。
【００１９】
本発明による装置は、面取り加工手段を固定機枠に対し弾性体を介して上下動可動に支持するようにした面取り加工手段支承手段を備える。弾性体により全自重が支えられて、面取り加工手段は浮いた状態で維持されており、切削部と出隅柱の頂角部との接触態様に応じて、面取り加工手段は機枠に対して上下方向に移動する。また、面取り加工手段の自重と弾性体の長さやバネ定数を選択することにより、非接触状体にあるときの、加工しようとする出隅柱の頂角部に対する切削部の上下方向の位置決めと、出隅柱の頂角部と切削部とが衝接しているときの、一方が他方に与える荷重およびその変量とを適宜設定することができる。
【００２０】
非接触状態で切削部が出隅柱の頂角部よりある距離だけ下位に位置するように設定する。その状態で切削部を上昇させ、出隅柱支持手段を移動させて出隅柱を切削部の下に入れた後、切削部と出隅柱の頂角部とを接触した状態とする。その状態で出隅柱を頂角部の稜線方向に移動させる（前記のように、出隅柱を固定して面取り加工手段を移動させてもよい）。この移動により、切削部は頂角部に生じている凹凸をなぞった形で上下動しながら頂角部の稜線部を切削（面取り加工）していく。それにより、面取り加工後の出隅柱の稜線部分には当初頂角部が有していた凹凸をなぞったような形状の凹凸面が形成される。
【００２１】
面取り加工をしようとする出隅柱の頂角部の硬さに応じて、あるいは、場合によって接着剤のはみ出し固化した形状に応じて、弾性体のバネ定数を適宜設定することにより、切削深さあるいは凹凸の程度を適宜調整することもできる。また、切削深さや切削面の平坦度は、出隅柱と切削部との相対速度差および切削具として回転するグラインダを用いる場合にはその回転数などによっても変化するので、得ようとする面取り加工部の幅や凹凸の程度に応じて、実験的にあるいは計算により最適のバネ定数を持つ弾性体を選択する。
【００２２】
一定の設定で複数個の出隅柱の面取り加工を連続して行うときに、出隅柱を作るときの都合で頂角部での板片のズレが大きくなりすぎた出隅柱が混在していると、そのような出隅柱については飛び出ている方の稜線部分の切削のみで面取り加工が終了してしまうことが起こり得る。その対策として、切削部よりも出隅柱の送り方向上流側に、規定値以上に飛び出ている稜線部分がある場合に、それを切削除去するための固定した切削具を備えておくようにしてもよい。
【００２３】
本発明の出隅柱の好ましい態様では、板片同士を接着する接着剤が湿気硬化型接着剤であることを特徴とする。湿気硬化型接着剤としては湿気硬化型ウレタン樹脂接着剤は特に好ましい。出隅柱を構成する板片が小木片状のチップを混入した窯業系建築板の場合には、大気中の水分のみならずチップ中に内在している水酸基も接着剤の重合と硬化に寄与するようになるので、接着剤が湿気硬化型ウレタン樹脂接着剤であることは特に好ましい。
【００２４】
さらに好ましい態様として、接着剤が硬化する前に板片の切断面あるいは頂角部とその近傍に水を霧状に供与することが望ましい。霧状になった水分は板片の切断面から板片内部へ浸透しやすくなり、内部浸透した水分に誘因されて湿気硬化型ウレタン樹脂接着剤の硬化が促進されて急激に膨張することにより、板片内部にまで入り込んで硬化する結果、より強固に板片同士の接着接合が進行する。
【００２５】
また、湿気硬化型ウレタン樹脂接着剤を塗布後、水分を霧状に散布すると、水分を散布しないときには板片同士の接合時に未硬化状態の接着剤が頂角部からはみ出して出隅柱の表面に沿って流れ出ることが起こり得るところ、水分を霧状に散布することにより、散布した水の水酸基により接着剤の重合と硬化が早期に進み、接着剤のタレを防止できることから、外観低下を阻止する効果ももたらされる。なお、接着剤の硬化には高周波加熱を利用することが望ましい。
【発明の効果】
【００２６】
本発明によれば、出隅柱の頂角部における面取り加工部をできるだけ目立たなくし、かつ面取り加工部に表面凹凸柄部に生じる陰影と同様な陰影が形成されるようにして、面取り加工部に違和感を起こさせないようにした出隅柱を得ることができる。また、面取り加工部を不規則な凹凸を有する凹凸面とすることにより、面取り加工部にたとえ若干の広幅部があったとしても違和感をなくすことができる。
【発明を実施するための最良の形態】
【００２７】
以下、図面を参照しながら本発明を説明する。図１は本発明による出隅柱に面取り加工を施す装置の一形態を出隅柱の送り方向に直交する方向から見て示す概略図であり、図２はそれを送り方向に平行な方向から見て示す概略図である。また、図３〜図６は上記装置を用いて製造される面取り加工後の出隅柱を説明するための図である。
【００２８】
図１および図２に示す本発明による装置は、送りローラ２１を備える出隅柱支持手段２０と、エアグラインダ３１を備える面取り加工手段３０と、弾性体としてのコイルバネ４１を備える面取り加工手段支承手段４０とを備え、送りローラ２１を作動することにより出隅柱支持手段２０に支持された出隅柱１は、固定して備えられる面取り加工手段３０に対して相対的に移動する。従って、この例では、出隅柱支持手段２０は、出隅柱支持手段２０と面取り加工手段３０とに相対的な移動を与える移動手段をも兼ねている。図示しないが、出隅柱支持手段２０を固定しておき、適宜の手段により面取り加工手段３０を移動するようにしても同じ作用効果が得られる。
【００２９】
この例において、出隅柱支持手段２０は、複数個の送りローラ２１を水平方向に配列しており、送りを安定させるために全体に平ベルト２２が巻装されている。従来法と同様にして断面視ほぼＬ字状とされた出隅柱１が頂角部１３を上方に露出するようにして送りローラ２１の上に乗せられ、送りローラ２１が図２で矢印ａ方向回転することにより、出隅柱１は矢印Ａ方向に移送される。出隅柱１の送りを安定させるために、図２に示すように押さえロール２３を設けることが望ましいが、省略してもよい。
【００３０】
出隅柱支持手段２０の側方には、固定した機枠４２に立設した支柱４３が設けられ、該支柱４３に対して面取り加工手段３０の一部を構成するブロック３２が上下動可動に取り付けてある。ブロック３２は面取り加工手段３０に切削に必要な所要の荷重を与えるためのものであり、実機に応じて適切な重さのものが選定される。ブロック３２には適宜の圧空源に接続する空圧式回転装置３３が備えられ、該空圧式回転装置３３の先端にエアグラインダ３１が回転軸心Ｃを水平方向となるようにして取り付けてある。図１に示すように、エアグラインダ３１の軸心線Ｃの向きは出隅柱１の送り方向Ａに直交する方向であり、その切削領域３１ａが送られる出隅柱１の頂角部１３の稜線方向に直交した状態で乗るようにされている。
【００３１】
固定機枠４２と前記ブロック３２との間には、支柱４３に外挿したコイルバネ４１が配置してある。コイルバネ４１の強さ（バネ定数）は、ブロック３２がフリーな状態でコイルバネ４１の上に載ったときに、エアグラインダ３１の最下面のレベルＬ１が、移送される出隅柱１の頂角部１３のレベルＬ２よりも、所定距離ｈだけ下方に下がった位置（図２でのＰ１の位置）となるように調整される。実際には、多数の出隅柱１に対して連続的に面取り加工を行う場合、個々の出隅柱でその頂角部１３のレベルＬ２はわずかに変化する。従って、予測される平均的な値をレベルＬ２として用いることとなる。
【００３２】
エアグラインダ３１を例えば２５０００ｒｐｍ程度で回転させた状態で、出隅柱１を送り込む。ブロック３２はコイルバネ４１から上に向いた力を受けており、容易に上方に移動することができるので、送られてくる出隅柱１の頂角部１３の上に自動的に乗ることができる。もちろん、予め適宜の手段で上方に持ち上げておいてもよい。
【００３３】
エアグラインダ３１が図２にＰ２で示すように頂角部１３に乗った状態で、矢印Ａ方向に出隅柱１は送られる。前記のように、コイルバネ４１の存在によりエアグラインダ３１の切削面（すなわち頂角部１３）に作用する荷重は小さくなっており、エアグラインダ３１は頂角部１３に生じている凹凸をなぞる形で上下動しながら頂角部１３の稜線部を切削（面取り加工）していく。結果として、面取り加工後の出隅柱１の稜線部分には、当初に頂角部１３が有していた凹凸をなぞったような形状の凹凸面が形成される。
【００３４】
上記の装置において、面取り加工をしようとする出隅柱１の頂角部１３の硬さに応じて、コイルバネ４１のバネ定数を適宜設定することにより、切削深さあいるは凹凸の程度を適宜調整できる。また、切削深さや切削面の平坦度は、出隅柱１の送り速度やエアグラインダ３１の回転数によっても変化するので、得ようとする面取り加工部の幅や凹凸の程度に応じて、実験的にあるいは計算により最適のバネ定数を持つコイルバネ４１を選択すればよい。一般に、エアグラインダ３１の回転数が遅い場合は深い凹凸となり、回転数が早い場合には微小な（浅い）凹凸となる。また、送り速度は１ｍ／秒程度が標準的であるが、速度が遅いと深い凹凸となり、速いと微小な（浅い）凹凸となる。
【００３５】
なお、図２において、３５はエアグラインダ３１よりも出隅柱１の送り方向上流側に配置した機枠に固定した固定切削具である。固定切削具３５は移送される出隅柱１の頂角部１３のレベルＬ２（平均的なレベル）よりも幾分高い位置にセットされる。エアグラインダでもよくテノーナー切削機のような切削具でもよい。このような固定切削具３５を配置することにより、規定値以上に飛び出ている稜線部分を持つ出隅柱が送られてきたような場合に、その部分を予め切削してしまうことが可能となり、上下動するエアグラインダ３１が飛び出ている方の稜線部分のみを切削して面取り加工が終了してしまうことを回避することができる。
【００３６】
次に、上記の装置により製造される出隅柱１を説明する。図３は、前記図９に基づき説明したようにして作られた出隅柱１の側面図であり、面取り加工前の状態を示している。出隅柱１を構成する２枚の板片１０、１０の接合には、湿気硬化型接着剤（例えば湿気硬化型ウレタン樹脂接着剤）が好適に用いられ、接着剤硬化方法としては、例えば高周波接着技術が好適に用いられる。また、図示しないが、２枚の板片１０、１０を接合した後、切削面とその近傍を中心に、その他、頂角部およびその近傍に水をスプレーすることにより、湿気硬化型ウレタン樹脂接着剤の重合と硬化を促進できるので、頂角部からはみ出した接着剤が板辺１０の表面に沿って垂れ下がり表面の意匠を損なうのを効果的に阻止することができるとともに、強固に接着固化一体化できる。
【００３７】
また、図示のものでは、板片１０は複数本の溝部３（図９ａでいう横目地部３）とそれに区画される複数個の凸領域４を有しており、凸領域４には深さ０．３ｍｍ〜５ｍｍ程度の表面凹凸柄部４ａが形成されている。そのために、図示のように、頂角部１３の稜線部分には凸領域４に形成した表面凹凸柄部４ａに起因する凹凸が残っており、また溝部３に対応する頂角部１３ａは、溝部３の深さだけ頂角部１３の稜線部分よりも下がった位置となっている。なお、図３で１３ｂは反対側に位置する板片１０の稜線部（図４も参照）を示している。図４は出隅柱１の断面を模式的に示しており、前記したように、頂角部１３には前記した稜線方向での凹凸と共に、左右の板片１０、１０の先端でのズレＳも生じがちであり、接着剤のはみ出し部ａも存在する。
【００３８】
この状態の出隅柱１が、前記した装置の出隅柱支持手段２０に乗せられて、頂角部１３に面取り加工が施されるが、既に記した理由により、エアグラインダ３１は頂角部１３に生じている凹凸をなぞった形で上下動しながら頂角部１３の稜線部を切削（面取り加工）していくので、図５に面取り加工後の出隅柱１を示すように、稜線部分には幅狭（例えば２ｍｍ〜５ｍｍ程度）でかつ当初頂角部１３が有していた凹凸をなぞったような形状の凹凸面１５が形成される。頂角部１３の接合面から硬化した接着剤が出ている場合には、接着剤との衝接によるエアグラインダ３１の上下動も生じ、凹凸面１５の凹凸形状が当初頂角部１３が有していた凹凸とは異なった状態に変化することもある。
【００３９】
その後、面取り加工部には適宜の塗装が施されて出隅柱とされるが、表面凹凸柄部４ａに近似した所要の塗装を施すことによって色調の違いによる違和感は小さくすることができる。また、凹凸面１５であることから板片１０の溝部３や表面凹凸柄部４ａに生じる陰影に近似した陰影を面取り加工部に生成させることができるので、面取り加工部の存在そのものが目立たないものとなる。
【００４０】
左右の板片１０、１０の先端でのズレＳ（図４参照）が大きい場合には、図２に示したように固定切削具３５を取り付けた装置を用いることにより、大きく飛び出ている部分を所定高さだけ予め切削することが可能となり、面取り加工部をほぼ所望どおりの凹凸面１５とした出隅柱を得ることができる。
【００４１】
図６ａ〜図６ｃは、上記装置での面取り加工を行う場合の例を模式的に示す、前記図２に相当する図である。図６ａの場合には、面取り加工開始前に、エアグラインダ３１の最下面がレベルＬ１の位置にあるとし、加工しようとする出隅柱１の頂角部１３の平均的な高さがレベルＬ２であるとする。最初に、エアグラインダ３１は出隅柱１の前端面１６に衝接しそこを切削しながら頂角部１３の稜線まで上昇する。その上昇により前端面１６は丸みを持った状態（曲面状）に切削される。
【００４２】
出隅柱１の移動により、前記したように、頂角部１３は、主に凸領域４に形成した表面凹凸柄部４ａの模様に起因して稜線に形成された凹凸をなぞるようにして狭い幅で削られていき、凹凸面としての面取り加工部とされる。板片１０の溝部３に対応する頂角部１３ａに至ると、エアグラインダ３１は次第に下降していき、頂角部１３に形成された面取り加工部との接続面は曲面状の切削面１７とされる。図示の例では、溝部３に対応する頂角部１３ａのレベルＬ３はレベルＬ１よりも低い位置にあり、そこを通過する間はエアグラインダ３１による切削は行われない。さらに移動して、頂角部１３ａの反対側に達すると再びエアグラインダ３１は切削しながら次第に上昇して、頂角部１３の稜線に乗る。そのために、頂角部１３ａと頂角部１３との接続面は、やはり曲面状の切削面１７となる。このような加工態様が、全稜線にわたって反復して行われる。上記のように曲面状の接続部（切削面１７）が頂角部１３と頂角部１３ａとの間に形成されることから、製造される出隅柱の柄模様は高い連続性を示すようになり、一層、面取り加工部を目立たないものとすることができる。
【００４３】
図６ｂの場合には、面取り加工開始前に、エアグラインダ３１の最下面が、加工しようとする出隅柱１の頂角部１３の平均的な高さであるレベルＬ２よりわずかに下であるレベルＬ４の位置にある。この場合には、図示のように、エアグラインダ３１は出隅柱１の頂角部１３の先端近傍のみを切削していくこととなり、板片１０の溝部３に対応する頂角部１３ａと頂角部１３との接続面に丸みが形成されることはない。
【００４４】
図６ｃの場合には、面取り加工開始前に、エアグラインダ３１の最下面が、加工しようとする出隅柱１における、板片１０の溝部３に対応する頂角部１３ａの高さであるレベル３よりも下方の位置（レベルＬ５）にある。この場合には、頂角部１３は図６ａの場合よりも全体してより深く切削されると共に、溝部３に対応する頂角部１３ａの部分も曲面状に切削される。その部分と頂角部１３の稜線との接続部も曲面状となる。
【００４５】
上記の実施の形態では、出隅柱１として、２枚の板片１０、１０の大きさが同じであり、９０度の角度で交差する頂角部１３を有しているものに対して、面取り加工を施すようにしたが、これは出隅柱１の一例であって、他に多くの形態のものが存在する。図７はそれらの断面を模式的に示しており、図７ａの出隅柱１ａは、２枚の板片１０、１０ａの幅が異なっている点で、上記のものと相違しており、図７ｂの出隅柱１ｂは、２枚の板片１０，１０の間に第２の板片１０Ｐを挟持しており、１つの出隅柱でありながら２本の頂角部１３、１３を有している点で、上記のものと相違している。
【００４６】
図７ｃの出隅柱１ｃは全体が３枚の板片１０をコ字状に接合しており、２本の頂角部１３を有している。図７ｄの出隅柱１ｄは、出隅柱１ｃの各板片の間に第２の板片１０Ｐをそれぞれ挟持しており、１つの出隅柱でありながら４本の頂角部１３を有している。
【００４７】
このような形態の出隅柱１ａ，１ｂ、１ｃ，１ｄの頂角部１３に対しても、上記と同様にして面取り加工を施すことによって、面取り加工部を目立たないものにできることは当然である。
【００４８】
図７ｅの出隅柱１ｅは、板片１０、１０の頂角部１３をなす側辺と反対側の側辺（木口面）１２ａでの表面側稜線１３Ｐにも面取り加工部を形成している点で、上記のものと相違している。このように、木口面１２ａに面取り加工を施すことにより、建物本体側の窯業系建築板との見た目での連続性を確保することができる。
【図面の簡単な説明】
【００４９】
【図１】本発明による出隅柱に面取り加工を施す装置の一形態を出隅柱の送り方向に直交する方向から見て示す概略図。
【図２】図１に示す装置を出隅柱の送り方向に平行な方向から見て示す概略図。
【図３】出隅柱の面取り加工前の状態を示す側面図。
【図４】図３に示す出隅柱の断面を模式的に示す図。
【図５】面取り加工後の出隅柱を説明するための図。
【図６】本発明による装置で面取り加工を行う場合の一例を模式的に示す図であり、図２に相当する図。
【図７】出隅柱の他の形態を示す図。
【図８】従来の出隅柱の一例を示す図。
【図９】出隅柱の作り方の一例を説明するための図。
【符号の説明】
【００５０】
１…出隅柱、２…縦目地部、３…横目地部（板片の溝部）、４…凸領域、４ａ…表面凹凸柄部、５…窯業建築板、１０…板片、１１…側辺、１２…切断面、１３…出隅柱の頂角部、１４…切削加工面、１３ａ…溝部に位置する頂角部、１５…面取り加工部（凹凸面）、１６…出隅柱の前端面、１７…頂角部に形成された面取り加工部と溝部に位置する頂角部との間の曲面状の切削面、２０…出隅柱支持手段、２１…送りローラ、２２…平ベルト、２３…押さえロール、３０…面取り加工手段、３１…エアグラインダ、３２…ブロック、３３…空圧式回転装置、４０…面取り加工手段支承手段、４１…弾性体としてのコイルバネ、４２…機枠、４３…支柱、Ｌ１，Ｌ４，Ｌ５…エアグラインダの最下面のレベル、Ｌ２…移送される出隅柱の頂角部のレベル
【図１】
2005282094.tif 000003
【図２】
2005282094.tif 000004
【図３】
2005282094.tif 000005
【図４】
2005282094.tif 000006
【図５】
2005282094.tif 000007
【図６】
2005282094.tif 000008
【図７】
2005282094.tif 000009
【図８】
2005282094.tif 000010
【図９】
2005282094.tif 000011